(57)【要約】【課題】映像の表示状態等が変更されても違和感を覚えてしまうようなことをなくすことができるようにする。【解決手段】コード判別制御部１２により、リモコン受信器１１によって受信したリモコン信号の識別コードから第１映像データ又は第２映像データのどちらに対応するかを判別し、第１映像データに対応すると判別した場合は、ＯＳＤコントローラ１３に対してリモコン信号のリモコンコードの内容を第２映像データに基づく映像に表示させ、デュアルビュー表示における画面を介して視聴者同士で相互に情報が伝達されるようにした。【選択図】図１
2008116792.tif 000002
【特許請求の範囲】
【請求項１】
表示手段に表示される映像の表示制御を行う表示制御装置であって、
第１映像データ及び第２映像データに基づいてデュアルビュー表示の映像処理が可能な映像処理制御手段と、
前記第１映像データ又は第２映像データに基づいた映像に所定の情報を表示させる情報表示手段と、
前記第１映像データに対応するリモコン信号又は前記第２映像データに対応するリモコン信号を受信する受信手段と、
該受信されたリモコン信号のリモコンコードを判別して前記映像処理制御手段による映像処理を制御するコード判別制御手段とを備え、
前記コード判別制御手段は、前記リモコン信号が前記第１映像データ又は前記第２映像データのどちらに対応するかを判別し、前記第１映像データに対応すると判別した場合は、前記情報表示手段に対し、前記リモコン信号のリモコンコードの内容を、少なくとも前記第２映像データに基づく映像に表示させる
ことを特徴とする表示制御装置。
【請求項２】
前記コード判別制御手段は、前記デュアルビュー表示での共有機能制御に該当するリモコンコードを保持し、前記受信されたリモコンコードが前記共有機能制御に該当するリモコンコードである場合、前記情報表示手段に対して前記共有機能制御に該当するリモコンコードの内容を表示させることを特徴とする請求項１に記載の表示制御装置。
【請求項３】
前記コード判別制御手段は、前記情報表示手段に対し、前記リモコンコードの内容をＯＳＤ表示させることを特徴とする請求項１又は２に記載の表示制御装置。
【請求項４】
前記コード判別制御手段は、前記情報表示手段に対し、前記リモコンコードの内容をテロップ表示させることを特徴とする請求項１又は２に記載の表示制御装置。
【請求項５】
前記コード判別制御手段は、前記情報表示手段に対し、少なくとも前記第２映像データに基づく映像にインジケータを表示させ、該インジケータが確認された後に、前記リモコンコードの内容を表示させることを特徴とする請求項１〜４のいずれかに記載の表示制御装置。
【請求項６】
前記コード判別制御手段は、前記情報表示手段に対し、少なくとも前記第２映像データに基づく映像に応答内容を選択できる選択項目を表示させ、該選択された応答内容に応じて前記映像処理制御手段による映像処理を制御することを特徴とする請求項１〜５のいずれかに記載の表示制御装置。
【請求項７】
前記コード判別制御手段は、前記リモコン信号の識別コードから前記第１映像データ又は前記第２映像データのどちらに対応するかを判別することを特徴とする請求項１〜６のいずれかに記載の表示制御装置。
【請求項８】
請求項１〜７のいずれかに記載の表示制御装置を搭載していることを特徴とする映像表示機器。
【請求項９】
表示手段に表示される映像の表示制御を行う表示制御方法であって、
第１映像データ及び第２映像データに基づいてデュアルビュー表示の映像処理が可能なステップと、
前記第１映像データ又は第２映像データに基づいた映像に所定の情報を表示させるステップと、
前記第１映像データに対応するリモコン信号又は前記第２映像データに対応するリモコン信号を受信するステップと、
該受信されたリモコン信号のリモコンコードを判別して前記映像処理を制御するステップとを有し、
前記リモコン信号が前記第１映像データ又は前記第２映像データのどちらに対応するかを判別し、前記第１映像データに対応すると判別した場合は、前記リモコン信号のリモコンコードの内容を少なくとも前記第２映像データに基づく映像に表示させる
ことを特徴とする表示制御方法。
【請求項１０】
前記デュアルビュー表示での共有機能制御に該当するリモコンコードを保持し、前記受信されたリモコンコードが前記共有機能制御に該当するリモコンコードである場合、前記共有機能制御に該当するリモコンコードの内容を表示させることを特徴とする請求項９に記載の表示制御方法。
【請求項１１】
前記リモコンコードの内容をＯＳＤ表示させることを特徴とする請求項９又は１０に記載の表示制御方法。
【請求項１２】
前記リモコンコードの内容をテロップ表示させることを特徴とする請求項９又は１０に記載の表示制御方法。
【請求項１３】
少なくとも前記第２映像データに基づく映像にインジケータを表示させ、該インジケータが確認された後に、前記リモコンコードの内容を表示させることを特徴とする請求項９〜１２のいずれかに記載の表示制御方法。
【請求項１４】
少なくとも前記第２映像データに基づく映像に応答内容を選択できる選択項目を表示させ、該選択された応答内容に応じて前記映像処理を制御することを特徴とする請求項９〜１３のいずれかに記載の表示制御方法。
【請求項１５】
前記リモコン信号の識別コードから前記第１映像データ又は前記第２映像データのどちらに対応するかを判別することを特徴とする請求項９〜１４のいずれかに記載の表示制御方法。
【発明の詳細な説明】
【技術分野】
【０００１】
本発明は、デュアルビュー表示における画面を介して視聴者同士で相互に情報を伝達する表示制御装置、映像表示機器及び表示制御方法に関する。
【背景技術】
【０００２】
液晶表示パネルは、２枚のガラス基板の間に注入された異方性誘電率を有する液晶層を有し、その液晶層に印加する電界の強さを調整することで、ガラス基板を通過する光の量を調整し所望の静止画像や動画像を表示させる。このような液晶表示パネルは、軽量化、薄型化、低消費電力化等に優れており、携帯電話、カーナビ、ＰＤＡ、パーソナルコンピュータ、テレビジョン受像機等の身近な機器に限らず、計測機器、医療機器、産業機器全般等の表示器として採用されている。
【０００３】
ところで、このような液晶表示パネルでは、デュアルビューディスプレイ技術を採用することで、デュアルビュー表示を行うことができるようになっている。ここで、デュアルビュー表示とは、同一の表示画面で互いに異なる映像をそれぞれの視聴位置で視聴できるようにしたものである。
【０００４】
このようなデュアルビューディスプレイの基本原理は、複数の画素を有する液晶表示パネルの全面に、不透明領域によって隔たれた垂直な透光性スリットを複数有するスクリーンである視差バリア（光学系分離素子）が配置されており、その透光性スリットを介し、視聴する位置に応じて異なる映像が見えるというものである。
【０００５】
また、このようなデュアルビュー表示では、たとえば特許文献１に示されているように、リモコン位置検出センサによって検出されたリモコンの位置に応じて対応する映像が認識され、リモコンからの対応する映像の遠隔操作に従い、表示動作が制御されるようになっている。
【特許文献１】特開２００５−７３０７６号公報
【発明の開示】
【発明が解決しようとする課題】
【０００６】
上述した特許文献１に示されている技術では、リモコンの位置に応じて対応する映像が認識されることから、リモコンによる遠隔操作を各映像に対応させるための選択操作等が不要となる。
【０００７】
ところが、特許文献１に示されている技術では、リモコンの位置に応じて対応する映像の切替等が行われるものの、デュアルビュー表示における画面を介して視聴者同士で相互に情報を伝達することができないことから、たとえば一方の視聴者が行った遠隔操作により他方の視聴者が視聴している映像の表示状態等が勝手に変更されてしまい、他方の視聴者は違和感を覚えてしまうことがあるという問題があった。
【０００８】
すなわち、デュアルビュー表示では、それぞれの視聴者が異なる映像を視聴することができるため、たとえば図１０に示すように、壁等で仕切られた状況で視聴者Ａと視聴者Ｂがそれぞれ異なる映像を視聴することが考えられる。
【０００９】
このような場合、視聴者Ａ又は視聴者Ｂがたとえば電源オフやバックライトの調光（液晶表示パネルの場合）等の遠隔操作を行うことが想定されるが、このような電源オフやバックライトの調光（液晶表示パネルの場合）等は視聴者Ａ及び視聴者Ｂが視聴している映像に対して共有する表示制御に関わるものである。
【００１０】
そのため、たとえば視聴者Ａが視聴者Ｂの了解を得ずに、電源オフやバックライトの調光（液晶表示パネルの場合）等の遠隔操作を行うと、視聴者Ｂが視聴している映像が勝手に消えてしまったり、明るさが勝手に変化してしまったりし、違和感を覚えてしまうことになる。
【００１１】
本発明は、このような状況に鑑みてなされたものであり、上記問題点を解決することができる表示制御装置、映像表示機器及び表示制御方法を提供することを目的とする。
【課題を解決するための手段】
【００１２】
本発明の表示制御装置は、表示手段に表示される映像の表示制御を行う表示制御装置であって、第１映像データ及び第２映像データに基づいてデュアルビュー表示の映像処理が可能な映像処理制御手段と、前記第１映像データ又は第２映像データに基づいた映像に所定の情報を表示させる情報表示手段と、前記第１映像データに対応するリモコン信号又は前記第２映像データに対応するリモコン信号を受信する受信手段と、該受信されたリモコン信号のリモコンコードを判別して前記映像処理制御手段による映像処理を制御するコード判別制御手段とを備え、前記コード判別制御手段は、前記リモコン信号が前記第１映像データ又は前記第２映像データのどちらに対応するかを判別し、前記第１映像データに対応すると判別した場合は、前記情報表示手段に対し、前記リモコン信号のリモコンコードの内容を少なくとも前記第２映像データに基づく映像に表示させることを特徴とする。
また、前記コード判別制御手段は、前記デュアルビュー表示での共有機能制御に該当するリモコンコードを保持し、前記受信されたリモコンコードが前記共有機能制御に該当するリモコンコードである場合、前記情報表示手段に対して前記共有機能制御に該当するリモコンコードの内容を表示させるようにすることができる。
また、前記コード判別制御手段は、前記情報表示手段に対し、前記リモコンコードの内容をＯＳＤ表示させるようにすることができる。
また、前記コード判別制御手段は、前記情報表示手段に対し、前記リモコンコードの内容をテロップ表示させるようにすることができる。
また、前記コード判別制御手段は、前記情報表示手段に対し、少なくとも前記第２映像データに基づく映像にインジケータを表示させ、該インジケータが確認された後に、前記リモコンコードの内容を表示させるようにすることができる。
また、前記コード判別制御手段は、前記情報表示手段に対し、少なくとも前記第２映像データに基づく映像に応答内容を選択できる選択項目を表示させ、該選択された応答内容に応じて前記映像処理制御手段による映像処理を制御するようにすることができる。
また、前記コード判別制御手段は、前記リモコン信号の識別コードから前記第１映像データ又は前記第２映像データのどちらに対応するかを判別するようにすることができる。
本発明の映像表示機器は、請求項１〜７のいずれかに記載の表示制御装置を搭載していることを特徴とする。
本発明の表示制御方法は、表示手段に表示される映像の表示制御を行う表示制御方法であって、第１映像データ及び第２映像データに基づいてデュアルビュー表示の映像処理が可能なステップと、前記第１映像データ又は第２映像データに基づいた映像に所定の情報を表示させるステップと、前記第１映像データに対応するリモコン信号又は前記第２映像データに対応するリモコン信号を受信するステップと、該受信されたリモコン信号のリモコンコードを判別して前記映像処理を制御するステップとを有し、前記リモコン信号が前記第１映像データ又は前記第２映像データのどちらに対応するかを判別し、前記第１映像データに対応すると判別した場合は、前記リモコン信号のリモコンコードの内容を少なくとも前記第２映像データに基づく映像に表示させることを特徴とする。
また、前記デュアルビュー表示での共有機能制御に該当するリモコンコードを保持し、前記受信されたリモコンコードが前記共有機能制御に該当するリモコンコードである場合、前記共有機能制御に該当するリモコンコードの内容を表示させるようにすることができる。
また、前記リモコンコードの内容をＯＳＤ表示させるようにすることができる。
また、前記リモコンコードの内容をテロップ表示させるようにすることができる。
また、少なくとも前記第２映像データに基づく映像にインジケータを表示させ、該インジケータが確認された後に、前記リモコンコードの内容を表示させるようにすることができる。
また、少なくとも前記第２映像データに基づく映像に応答内容を選択できる選択項目を表示させ、該選択された応答内容に応じて前記映像処理を制御するようにすることができる。
また、前記リモコン信号の識別コードから前記第１映像データ又は前記第２映像データのどちらに対応するかを判別するようにすることができる。
本発明の表示制御装置、映像表示機器及び表示制御方法では、受信したリモコン信号が第１映像データ又は第２映像データのどちらに対応するかを判別し、第１映像データに対応すると判別した場合は、リモコン信号のリモコンコードの内容が少なくとも第２映像データに基づく映像に表示されることにより、デュアルビュー表示における画面を介して視聴者同士で相互に情報が伝達される。
【発明の効果】
【００１３】
本発明の表示制御装置、映像表示機器及び表示制御方法によれば、デュアルビュー表示における画面を介して視聴者同士で相互に情報が伝達されるようにしたので、たとえば一方の視聴者が行った遠隔操作が他方の視聴者が視聴している映像に対して共有する表示制御に関わるものであるとき、その内容を他方の視聴者に知らせることができ、他方の視聴者が視聴している映像の表示状態等が変更されても違和感を覚えてしまうようなことをなくすことができる。
【発明を実施するための最良の形態】
【００１４】
本実施形態では、コード判別制御手段により、たとえば受信手段によって受信したリモコン信号の識別コードから第１映像データ又は第２映像データのどちらに対応するかを判別し、第１映像データに対応すると判別した場合は、情報表示手段に対してリモコン信号のリモコンコードの内容を第２映像データに基づく映像に表示させ、デュアルビュー表示における画面を介して視聴者同士で相互に情報が伝達されるようにした。
【実施例】
【００１５】
以下、本発明の実施例の詳細について説明する。図１は、本発明の表示制御装置をテレビジョン受像機に適用した場合の一実施例を説明するための図である。
【００１６】
図１に示すテレビジョン受像機１０は、後述の表示パネル１７に設けられている視差バリア（光学系分離素子）１７Ａにより、シングルビュー表示又はデュアルビュー表示を可能とするものである。
【００１７】
ここで、シングルビュー表示とは、第１映像データ又は第２映像データのいずれか一方に応じた映像を視聴者Ａ及び視聴者Ｂが共に視聴することができるようにした表示モードである。一方、デュアルビュー表示とは、たとえば視聴者Ａは第１映像データに応じた映像のみを視聴することができ、視聴者Ｂは第２映像データに応じた映像のみを視聴することができるようにした表示モードである。これらの表示モードは、たとえばリモコン送信機２０Ａ又は２０Ｂによる切替操作によって表示切替が行われるようになっている。
【００１８】
また、第１映像データ及び第２映像データは、デジタル放送信号における映像データであってもよいし、ビデオデッキ、ＣＤプレーヤ、ＤＶＤプレーヤ等の再生機器からの映像データのいずれであってもよい。
【００１９】
また、テレビジョン受像機１０は、リモコン受信器１１、コード判別制御部１２、ＯＳＤコントローラ１３、画像処理制御部１４、入力セレクタ１４ａ、チューナ１４ｂ、外部入力部１４ｃ、メモリ（Ａ）１５Ａ、メモリ（Ｂ）１５Ｂ、奇数フィールド駆動部１６Ａ、偶数フィールド駆動部１６Ｂ、表示パネル１７を備えている。
【００２０】
リモコン受信器１１は、視聴者Ａが利用するリモコン送信機２０Ａ又は視聴者Ｂが利用するリモコン送信機２０Ｂからのリモコン信号を受信する。ここで、リモコン送信機２０Ａ，２０Ｂからのリモコン信号のリモコンコードは互いに同じであるが、それぞれのリモコン信号にたとえば識別コードを含ませることで、リモコン信号を受信した際に、それぞれのリモコン送信機２０Ａ，２０Ｂを識別することができるようになっている。また、リモコン送信機２０Ａ，２０Ｂからのリモコン信号としては、赤外線又は超音波を用いることができる。
【００２１】
コード判別制御部１２は、リモコン受信器１１によって受信されたリモコン信号に含まれている識別コードから、リモコン送信機２０Ａ又はリモコン送信機２０Ｂのどちらから送信されたリモコン信号かを判別するとともに、そのリモコン信号のリモコンコードを判別して画像処理制御部１４による画像処理を制御する。
【００２２】
なお、ここでは、コード判別制御部１２がリモコン信号に含まれている識別コードから、リモコン送信機２０Ａ又はリモコン送信機２０Ｂのどちらから送信されたリモコン信号かを判別するものとしているが、この例に限らず、図示しないリモコン位置検出センサによって検出された位置に応じてリモコン送信機２０Ａ又はリモコン送信機２０Ｂのどちらから送信されたリモコン信号かを判別するようにしてもよい。
【００２３】
また、コード判別制御部１２は、リモコン信号のリモコンコードが選局又は入力切替である場合、入力セレクタ１４ａを制御してチューナ１４ｂ又は外部入力部１４ｃを選択させる。
【００２４】
ここで、コード判別制御部１２は、たとえば図２に示すようなデュアルビュー表示での共有機能制御に該当する共有項目を有する共有機能制御項目テーブル１２ａを保持している。この共有機能制御項目テーブル１２ａの共有項目は、視聴者Ａ及び視聴者Ｂが視聴している映像に対して共有する表示制御に関わるものである。共有項目の詳細については後述する。
【００２５】
また、コード判別制御部１２は、リモコン送信機２０Ａ又はリモコン送信機２０Ｂから受け取ったリモコン信号が共有機能制御項目テーブル１２ａの共有項目に該当するリモコンコードである場合、視聴者Ａ及び視聴者Ｂが視聴している画面にそのリモコンコードの内容をＯＳＤ表示させるようにＯＳＤコントローラ１３を制御する。
【００２６】
なお、コード判別制御部１２は、リモコン送信機２０Ａ又はリモコン送信機２０Ｂから受け取ったリモコン信号が共有機能制御項目テーブル１２ａの共有項目に該当するリモコンコードである場合、リモコン送信機２０Ａ又はリモコン送信機２０Ｂを操作していない視聴者Ａ又は視聴者Ｂが視聴している画面にそのリモコンコードの内容をＯＳＤ表示させるようにＯＳＤコントローラ１３を制御してもよい。すなわち、たとえば視聴者Ａが使用するリモコン送信機２０Ａから共有機能制御項目テーブル１２ａの共有項目に該当するリモコンコードを示すリモコン信号を受け取ったと判別すると、視聴者Ｂが視聴している画面にそのリモコンコードの内容をＯＳＤ表示させるようにＯＳＤコントローラ１３を制御する。
【００２７】
また、コード判別制御部１２は、リモコン送信機２０Ａ又はリモコン送信機２０Ｂから受け取ったリモコン信号が共有機能制御項目テーブル１２ａの共有項目に該当しない、たとえば選局等のリモコンコードである場合、リモコン送信機２０Ａ又はリモコン送信機２０Ｂを操作した視聴者Ａ又は視聴者Ｂが視聴している画面に選局等のリモコンコードの内容をＯＳＤ表示させるようにＯＳＤコントローラ１３を制御する。すなわち、たとえば視聴者Ａが使用するリモコン送信機２０Ａから共有機能制御項目テーブル１２ａの共有項目に該当しない選局等のリモコンコードを示すリモコン信号を受け取ったと判別すると、視聴者Ａが視聴している画面にそのリモコンコードの内容をＯＳＤ表示させるようにＯＳＤコントローラ１３を制御する。
【００２８】
上述した共有項目としては、たとえば電源、バックライト、明るさセンサ、オフタイマ、ＡＶモード、静止画、映像反転モード等がある。ここで、明るさセンサとは、周囲の明るさの変化に応じて画面の明るさを自動調整する機能である。オフタイマは、設定時間になると電源を自動でオフする機能である。
【００２９】
ＡＶモードは、部屋の明るさや再生ソフト等の内容に合わせて、好みの映像や音質等に設定する機能であり、「ダイナミック」、「標準」、「映画」、「ゲーム」、「ＡＶメモリ」、「ダイナミック（固定）」等に分けられている。
【００３０】
「ダイナミック」は、くっきりと色鮮やかな映像で、スポーツ番組等を迫力あふれたものにする設定である。「標準」は、画質や音質の設定がすべて標準値にする設定である。「映画」は、コントラスト感を抑えることにより、暗い映像を見やすくする設定である。「ゲーム」は、テレビゲーム等の映像を、明るさを抑えて目にやさしい映像にする設定である。「ＡＶメモリ」は、各入力毎に好みの調整内容を記憶させる設定である。「ダイナミック（固定）」は、くっきりと色鮮やかな映像で、スポーツ番組等を迫力あふれたものにする設定（このポジションを選んだときは、映像や音声調整ができない）である。
【００３１】
また、共有機能制御項目テーブル１２ａには、メモリ（Ａ）１５Ａ及びメモリ（Ｂ）１５Ｂに記憶されているリモコンコードの内容のうち、共有項目に対応するものが登録される。ここで、メモリ（Ａ）の内容はメモリ（Ａ）１５Ａに対応し、メモリ（Ｂ）の内容はメモリ（Ｂ）１５Ｂに対応している。
【００３２】
このメモリ（Ａ）及びメモリ（Ｂ）の内容を確認することで、たとえば視聴者Ａが使用するリモコン送信機２０Ａからのリモコン信号のリモコンコードが視聴者Ｂが視聴している映像に影響を及ぼすかどうかを判断することができる。
【００３３】
すなわち、メモリ（Ａ）及びメモリ（Ｂ）の内容は、上述したように、視聴者Ａ及び視聴者Ｂが視聴している映像に対して共有する表示制御に関わるものであり、それぞれの内容が同じになっている。そこで、たとえば視聴者Ａが使用するリモコン送信機２０Ａからのリモコン信号のリモコンコードがメモリ（Ａ）及びメモリ（Ｂ）の状態と同じかどうかを確認し、異なる場合は視聴者Ｂが視聴している映像に影響を及ぼすと判断し、上述したように、視聴者Ａ及び視聴者Ｂが視聴している画面にそのリモコン信号の内容をＯＳＤ表示させるようにＯＳＤコントローラ１３を制御することができる。この場合、上述したように、視聴者Ｂが視聴している画面にのみそのリモコン信号の内容をＯＳＤ表示させるようにＯＳＤコントローラ１３を制御するようにしてもよい。
【００３４】
ＯＳＤコントローラ１３は、コード判別制御部１２による制御に基づき、たとえば視聴者Ａが使用するリモコン送信機２０Ａから共有機能制御項目テーブル１２ａの共有項目に該当するリモコンコードを示すリモコン信号を受け取ったと判別されると、視聴者Ａ及び視聴者Ｂが視聴している画面にそのリモコンコードの内容をＯＳＤ表示させる。
【００３５】
また、ＯＳＤコントローラ１３は、コード判別制御部１２による制御に基づき、たとえば視聴者Ａが使用するリモコン送信機２０Ａから共有機能制御項目テーブル１２ａの共有項目に該当しない選局等のリモコンコードを示すリモコン信号を受け取ったと判別されると、視聴者Ａが視聴している画面にそのリモコンコードの内容をＯＳＤ表示させる。
【００３６】
画像処理制御部１４は、たとえばデュアルビュー表示が選択されているとき、第１映像データ及び第２映像データをそれぞれ復号処理し、その復号処理した第１映像データのＡ／Ｖ信号をたとえば奇数フィールド駆動部１６Ａに出力し、第２映像データのＡ／Ｖ信号をたとえば偶数フィールド駆動部１６Ｂに出力する。
【００３７】
入力セレクタ１４ａは、コード判別制御部１２による制御によってチューナ１４ｂ又は外部入力部１４ｃを選択する。チューナ１４ｂは、リモコン送信機２０Ａ又はリモコン送信機２０Ｂの図示しない選局キーの操作に応じてアナログ又はデジタルの地上波テレビジョン放送のチャンネルを選局する。
【００３８】
外部入力部１４ｃは、たとえばＢＳ（Ｂｒｏａｄｃａｓｔｉｎｇ  Ｓａｔｅｌｌｉｔｅ）チューナが接続される外部入力端子、たとえば１１０度ＣＳ（Ｃｏｍｍｕｎｉｃａｔｉｏｎ  Ｓａｔｅｌｌｉｔｅ）チューナが接続される外部入力端子、たとえばビデオデッキが接続される外部入力端子、たとえばＤＶＤ（Ｄｉｇｉｔａｌ  Ｖｅｒｓａｔｉｌｅ  Ｄｉｓｃ）プレーヤが接続される外部入力端子を備えている。
【００３９】
メモリ（Ａ）１５Ａには、視聴者Ａが視聴している映像に関わるリモコンコードが記録される。すなわち、メモリ（Ａ）１５Ａに記憶されるリモコンコードは、リモコン送信機２０Ａから送信されたリモコン信号に基づくものであり、上述した共有機能制御項目テーブル１２ａの共有項目のリモコンコードに加え、選局等の他のリモコンコード等が記憶されることになる。
【００４０】
メモリ（Ｂ）１５Ｂは、視聴者Ｂが視聴している映像に関わるリモコンコードが記録される。すなわち、メモリ（Ｂ）１５Ｂに記憶されるリモコンコードは、リモコン送信機２０Ｂから送信されたリモコン信号に基づくものであり、上述した共有機能制御項目テーブル１２ａの共有項目のリモコンコードに加え、選局等の他のリモコンコード等が記憶されることになる。
【００４１】
奇数フィールド駆動部１６Ａは、画像処理制御部１４によって復号処理されたたとえば第１映像データのＡ／Ｖ信号に基づき、表示パネル１７の所定の画素を駆動する。これにより、視聴者Ａは表示パネル１７の視差バリア（光学系分離素子）１７Ａを介して第１映像データに応じた映像を視聴することができる。
【００４２】
偶数フィールド駆動部１６Ｂは、画像処理制御部１４によって復号処理されたたとえば第２映像データのＡ／Ｖ信号に基づき、表示パネル１７の所定の画素を駆動する。これにより、視聴者Ｂは表示パネル１７の視差バリア（光学系分離素子）１７Ａを介して第２映像データに応じた映像を視聴することができる。  
【００４３】
表示パネル１７は、上述したシングルビュー表示又はデュアルビュー表示を可能とする視差バリア（光学系分離素子）１７Ａを有している。この視差バリア（光学系分離素子）１７Ａは、たとえば図３に示すように、不透明領域１７ｂによって隔たれた垂直な透光性スリット１７ａを複数有するスクリーンである。
【００４４】
すなわち、上述したデュアルビュー表示を行わせる場合には、たとえば表示パネル１７の隣り合う画素ａ，ｂが奇数フィールド駆動部１６Ａ又は偶数フィールド駆動部１６Ｂにより第１映像データ又は第２映像データに応じたＡ／Ｖ信号に基づいて駆動されるようになっている。言い換えれば、隣り合う画素ａ，ｂは、互いに異なるＡ／Ｖ信号に基づいて駆動されることになる。
【００４５】
このようにして、表示パネル１７の隣り合う画素が互いに異なるＡ／Ｖ信号に基づいて駆動されると、視聴者Ａは画素ａからの光を視差バリア（光学系分離素子）１７Ａの透光性スリット１７ａを通して見ることができ、視聴者Ｂは他の画素ｂからの光を視差バリア（光学系分離素子）１７Ａの透光性スリット１７ａを通して見ることができる。
【００４６】
このように、視差バリア（光学系分離素子）１７Ａの透光性スリット１７ａは、その光学系分離特性により空間上の規定された領域Ｘ，Ｙで画素ａ又は画素ｂからの光を見えるようにしたものである。
【００４７】
なお、画素ａ，ｂは１個おきに互いに異なるＡ／Ｖ信号に基づいて駆動されるようにしてもよいし、２個おき、あるいは３個おき等のように複数個おきに駆動されるようにしてもよいことは勿論であるが、いずれにしても視差バリア（光学系分離素子）１７Ａの透光性スリット１７ａの幅に応じて設定されるようになっている。
【００４８】
ちなみに、シングルビュー表示の場合には、たとえば表示パネル１７の隣り合う画素ａ，ｂが奇数フィールド駆動部１６Ａ及び偶数フィールド駆動部１６Ｂにより第１映像データ又は第２映像データに応じたいずれか一方のＡ／Ｖ信号に基づいて駆動され、視聴者Ａ，Ｂが互いに同じ映像を視聴することができる。
【００４９】
次に、テレビジョン受像機１０による表示制御方法について説明する。なお、以下の説明においては、視聴者Ａがリモコン送信機２０Ａを操作し、視聴者Ｂがリモコン送信機２０Ｂを操作するものとする。また、以下の説明においては、デュアルビュー表示が選択されているとき、画像処理制御部１４により復調処理された第１映像データのＡ／Ｖ信号が奇数フィールド駆動部１６Ａに出力され、第２映像データのＡ／Ｖ信号が偶数フィールド駆動部１６Ｂに出力されるものとする。
【００５０】
まず、図４に示すように、コード判別制御部１２により、リモコン送信機２０Ａ又はリモコン送信機２０Ｂによるリモコン操作による表示モードの選択が判別される（ステップＳ１）。すなわち、上述したように、リモコン送信機２０Ａ，２０Ｂからのリモコン信号のリモコンコードは識別コードを除いて互いに同じであるため、どちらのリモコン送信機２０Ａ，２０Ｂからでも表示モードの選択が可能となる。
【００５１】
ここで、コード判別制御部１２により、シングルビュー表示が選択されたと判別されると、その判別結果に基づき、画像処理制御部１４により復号処理された第１映像データ又は第２映像データのいずれか一方のＡ／Ｖ信号が奇数フィールド駆動部１６Ａ及び偶数フィールド駆動部１６Ｂに出力される（ステップＳ２）。そして、これら奇数フィールド駆動部１６Ａ及び偶数フィールド駆動部１６Ｂにより、表示パネル１７の隣り合う画素が第１映像データ又は第２映像データのいずれか一方のＡ／Ｖ信号に基づいて駆動され、視聴者Ａ，Ｂが互いに同じ映像を視聴することができる。
【００５２】
これに対し、コード判別制御部１２により、デュアルビュー表示が選択されたと判別されると、画像処理制御部１４により復調処理された第１映像データのＡ／Ｖ信号が奇数フィールド駆動部１６Ａに出力され、第２映像データのＡ／Ｖ信号が偶数フィールド駆動部１６Ｂに出力される（ステップＳ３）。
【００５３】
そして、上述したように、表示パネル１７の隣り合う画素ａ，ｂが奇数フィールド駆動部１６Ａ又は偶数フィールド駆動部１６Ｂにより第１映像データ又は第２映像データのＡ／Ｖ信号に基づいて駆動される。これにより、視聴者Ａは表示パネル１７の視差バリア（光学系分離素子）１７Ａを介して第１映像データに応じた映像を視聴することができ、視聴者Ｂは表示パネル１７の視差バリア（光学系分離素子）１７Ａを介して第２映像データに応じた映像を視聴することができる。
【００５４】
ここで、視聴者Ａ又は視聴者Ｂがリモコン送信機２０Ａ又はリモコン送信機２０Ｂを操作すると、リモコン送信機２０Ａ又はリモコン送信機２０Ｂからのリモコン信号がリモコン受信器１１によって受信される（ステップＳ４）。
【００５５】
このとき、コード判別制御部１２により、リモコン受信器１１によって受信されたリモコン信号に含まれている識別コードから、リモコン送信機２０Ａ又はリモコン送信機２０Ｂのどちらから送信されたリモコン信号かが判別されるととも、そのリモコン信号のリモコンコードが判別される（ステップＳ５）。
【００５６】
ここで、判別したリモコンコードが共有機能制御項目テーブル１２ａの共有項目のいずれかに該当するかどうかが判断される（ステップＳ６）。共有項目に該当しない場合は（ステップＳ６：Ｎｏ）、コード判別制御部１２により、判別した識別コード及びリモコン信号のリモコンコードに基づき、画像処理制御部１４による画像処理が制御される（ステップＳ８）。
【００５７】
すなわち、識別コードがたとえばリモコン送信機２０Ａに対応し、リモコンコードがたとえば選局である場合、コード判別制御部１２による制御により、画像処理制御部１４により第１映像データに対する選局が行われる。このとき、メモリ（Ａ）１５Ａには、選局に対応するリモコンコードが記憶される。
【００５８】
同様に、識別コードがたとえばリモコン送信機２０Ｂに対応し、リモコンコードがたとえば選局である場合、コード判別制御部１２による制御により、画像処理制御部１４により第２映像データに対する選局が行われる。このとき、メモリ（Ｂ）１５Ｂには、選局に対応するリモコンコードが記憶される。
【００５９】
一方、判別したリモコン信号のリモコンコードが共有機能制御項目テーブル１２ａの共有項目のいずれかに該当すると判断された場合（ステップＳ６：Ｙｅｓ）、コード判別制御部１２によりＯＳＤコントローラ１３が制御され、視聴者Ａ及び視聴者Ｂが視聴している画面にそのリモコンコードの内容がＯＳＤ表示される（ステップＳ７）。
【００６０】
なお、たとえば視聴者Ａがリモコン操作を行った場合、上述したように、視聴者Ｂが視聴している画面にのみそのリモコンコードの内容がＯＳＤ表示されるようにしてもよい。同様に、視聴者Ｂがリモコン操作を行った場合、視聴者Ａが視聴している画面にのみそのリモコンコードの内容がＯＳＤ表示されるようにしてもよい。
【００６１】
ここで、識別コードがたとえばリモコン送信機２０Ａに対応し、リモコンコードがたとえばバックライトの調整である場合、たとえば図５に示すように、視聴者Ａ及び視聴者Ｂが視聴している画面にそのリモコンコードの内容である、バックライトの調整がＯＳＤ表示される。同様に、識別コードがたとえばリモコン送信機２０Ｂに対応し、リモコンコードがたとえばバックライトの調整である場合、視聴者Ａ及び視聴者Ｂが視聴している画面にそのリモコンコードの内容である、バックライトの調整がＯＳＤ表示される。
【００６２】
そして、コード判別制御部１２による制御により、画像処理制御部１４によりリモコンコードの内容に応じた画像処理としてバックライトの調整が行われる（ステップＳ８）。このとき、メモリ（Ａ）１５Ａ及びメモリ（Ｂ）１５Ｂには、バックライトの調整に対応するリモコンコードが記憶されるとともに、共有機能制御項目テーブル１２ａの共有項目のバックライトに対応する領域に、メモリ（Ａ）１５Ａ及びメモリ（Ｂ）１５Ｂに記憶されたリモコンコードが反映される。
【００６３】
なお、視聴者Ａが視聴している画面及び／又は視聴者Ｂが視聴している画面に表示されるＯＳＤ表示は、視聴者Ａの視聴又は視聴者Ｂの視聴の妨げとなるため、所定時間経過後、自動消去されるようにすればよい。
【００６４】
このように、本実施例では、コード判別制御部１２により、リモコン受信器１１によって受信したリモコン信号の識別コードから第１映像データ又は第２映像データのどちらに対応するかを判別し、第１映像データに対応すると判別した場合は、ＯＳＤコントローラ１３に対してリモコン信号のリモコンコードの内容を第２映像データに基づく映像に表示させ、デュアルビュー表示における画面を介して視聴者同士で相互に情報が伝達されるようにした。
【００６５】
これにより、たとえば視聴者Ａが行った遠隔操作が視聴者Ｂが視聴している映像に対して共有する表示制御に関わるものであるとき、その内容を視聴者Ｂに知らせることができ、視聴者Ｂが視聴している映像の表示状態等が変更されても違和感を覚えてしまうようなことをなくすことができる。
【００６６】
すなわち、図１０で説明したように、たとえば壁等で仕切られた状況で視聴者Ａと視聴者Ｂがそれぞれ異なる映像を視聴する場合に、たとえば視聴者Ａが電源オフやバックライトの調光（液晶表示パネルの場合）等の遠隔操作を行っても、その操作の内容が視聴者Ｂが視聴している映像に表示されるため、視聴者Ｂが視聴している映像が勝手に消えてしまったり、明るさが勝手に変化してしまっても、視聴者Ｂが違和感無くその状況を把握できる。
【００６７】
なお、本実施例では、透光性スリット１７ａが縦方向に等間隔に並べられた視差バリア（光学系分離素子）１７Ａにより視聴者Ａ，Ｂが左右に並んでそれぞれ異なる映像を視聴する場合について説明したが、この例に限らず、透光性スリット１７ａが横方向に等間隔に並べられた視差バリア（光学系分離素子）を用いてもよく、この場合には視聴者Ａ，Ｂが上下に位置してそれぞれ異なる映像を視聴することができる。
【００６８】
また、本実施例では、たとえば視聴者Ａによるリモコン送信機２０Ａからのリモコン信号のリモコンコードが共有機能制御項目テーブル１２ａの共有項目のいずれかに該当すると判断された場合、視聴者Ｂが視聴している画面にそのリモコンコードの内容がＯＳＤ表示される場合について説明したが、この例に限らず、たとえば図６に示すように、テロップ表示が行われるようにしてもよい。
【００６９】
また、本実施例では、たとえば視聴者Ａによるリモコン送信機２０Ａからのリモコン信号のリモコンコードが共有機能制御項目テーブル１２ａの共有項目のいずれかに該当すると判断された場合、たとえば図７に示すように、視聴者Ｂが視聴している画面にインジケータがたとえば点滅表示されるようにし、視聴者Ｂがリモコン送信機２０Ｂの所定のボタン（情報確認ボタン等）を操作すると、上述したＯＳＤ表示又はテロップ表示が行われるようにしてもよい。また、このインジケータは、表示パネル１７の周囲に専用に設けたランプ等とすることも可能である。
【００７０】
また、本実施例では、たとえば視聴者Ａによるリモコン送信機２０Ａからのリモコン信号のリモコンコードが共有機能制御項目テーブル１２ａの共有項目のいずれかに該当すると判断された場合、たとえば図８に示すように、ＯＳＤ表示の内容に視聴者Ａの要求を許可するかどうかの応答内容を選択できる選択項目（１．Ｙｅｓ、２．Ｎｏ等）が表示されるようにし、視聴者Ｂがリモコン送信機２０Ｂの所定のボタン（選択ボタン等）を操作して「１．Ｙｅｓ」が選択された場合に視聴者Ａの要求に応じた画像処理が行われるようにしてもよい。
【００７１】
この場合のフローは、たとえば図９に示すようになる。すなわち、図９は、図４のフローにステップ１７で示す許可したかどうかを判断する工程を追加したものであり、ステップ１７以外は図４のフローと同様である。
【００７２】
ここで、ステップ１７で許可されなかった場合は、ステップ１８でのリモコンコードに応じた画像処理が行われず（ステップＳ１７：Ｎｏ）、ステップ１７で許可された場合は、ステップ１８でのリモコンコードに応じた画像処理が行われる（ステップＳ１７：Ｙｅｓ）。、
【００７３】
また、このような選択項目（１．Ｙｅｓ、２．Ｎｏ等）は、図６でのテロップ表示でも同様にして行わせることが可能である。
【００７４】
また、このような選択項目（１．Ｙｅｓ、２．Ｎｏ等）が表示されるＯＳＤ表示は、図７で説明したインジケータがたとえば点滅表示され、視聴者Ｂがリモコン送信機２０Ｂの所定のボタン（情報確認ボタン等）を操作した後に行われるようにしてもよい。
【００７５】
また、本実施例では、リモコン信号のリモコンコードが共有機能制御項目テーブル１２ａの共有項目のいずれかに該当すると判断された場合にＯＳＤ表示させる場合について説明したが、この例に限らず、映像関連以外の伝達情報がリモコン操作したたとえば視聴者Ａに相対する視聴者Ｂが視聴している画面にＯＳＤ表示されるようにしてもよい。
【００７６】
この場合、リモコン送信機２０Ａ，２０Ｂに文字入力キー等を設けておくことで、その文字入力キーの内容を伝達情報としてたとえば視聴者Ａに相対する視聴者Ｂが視聴している画面にＯＳＤ表示させることが可能となる。
【００７７】
また、この場合、上記同様に、テロップ表示されるようにしてもよいし、インジケータをたとえば点滅表示させてからＯＳＤ表示又はテロップ表示されるようにしてもよい。
【産業上の利用可能性】
【００７８】
映像が表示されるものであればよく、テレビジョン受像機に限らず、大型モニタを有するシステム機器にも適用可能である。
【図面の簡単な説明】
【００７９】
【図１】本発明の表示制御装置をテレビジョン受像機に適用した場合の一実施例を説明するための図である。
【図２】図１のコード判別制御部が保持する共有機能制御項目テーブルを説明するための図である。
【図３】図１の表示パネルが有する視差バリア（光学系分離素子）を説明するための図である。
【図４】図１のテレビジョン受像機による表示制御方法について説明するためのフローチャートである。
【図５】図１のコード判別制御部により制御されるＯＳＤコントローラによるＯＳＤ表示を説明するための図である。
【図６】図５のＯＳＤ表示をテロップ表示とした場合の他の例を説明するための図である。
【図７】図５のＯＳＤ表示又は図６のテロップ表示が行われる前にインジケータが表示される場合の他の例を説明するための図である。
【図８】図５のＯＳＤ表示に要求を許可するかどうかの選択項目を設けた場合の他の例を説明するための図である。
【図９】図５のＯＳＤ表示に要求を許可するかどうかの選択項目を設けた場合の他の例を説明するためのフローチャートである。
【図１０】従来のデュアルビュー表示の視聴形態の一例を説明するための図である。
【符号の説明】
【００８０】
１０  テレビジョン受像機
１１  リモコン受信器（受信手段）
１２  コード判別制御部（コード判別制御手段）
１２ａ  共有機能制御項目テーブル
１３  ＯＳＤコントローラ（情報表示手段）
１４  画像処理制御部（映像処理制御手段）
１４ａ  入力セレクタ
１４ｂ  チューナ
１４ｃ  外部入力部
１６Ａ  奇数フィールド駆動部
１６Ｂ  偶数フィールド駆動部
１７  表示パネル
１７Ａ  視差バリア（光学系分離素子）
１７ａ  透光性スリット
１７ｂ  不透明領域
２０Ａ  リモコン送信機
２０Ｂ  リモコン送信機
【図１】
2008116792.tif 000003
【図２】
2008116792.tif 000004
【図３】
2008116792.tif 000005
【図４】
2008116792.tif 000006
【図５】
2008116792.tif 000007
【図６】
2008116792.tif 000008
【図７】
2008116792.tif 000009
【図８】
2008116792.tif 000010
【図９】
2008116792.tif 000011
【図１０】
2008116792.tif 000012